(57)【要約】【課題】本発明は、上記の問題に鑑み、水蒸気による洗浄を専用のボイラーを設けることなく、簡単な構成により大量の水蒸気を安定して発生させることができる食器洗浄機を提供することを目的とする。【解決手段】本発明は、食器を収納する洗浄室と、洗浄水を前記洗浄室内に噴射する回転ノズル体と洗浄室の底側に設けられ、かつ洗浄水を加熱するヒータと、洗浄室内に霧化して噴射する噴霧手段とを有し、洗浄運転またはすすぎ運転に際して行う前記噴霧手段による噴射給水と併せてヒータの加熱を行い、ヒータは噴霧による温度低下を抑えるためフィンを付けた。【選択図】図５
2007229189.tif 000002
【特許請求の範囲】
【請求項１】
食器を収納する洗浄室と、洗浄水を前記洗浄室内に噴射する回転ノズル体と、前記洗浄室の底側に設けられ、かつ洗浄水を加熱するヒータと、前記洗浄室内に噴霧を噴射する噴霧手段と前記噴霧を前記ヒータで加熱して水蒸気を生成する手段を有した食器洗浄機において、ヒータの長手方向に上下方向に位置するフィンを設けたことを特徴とする食器洗浄機。
【請求項２】
請求項１記載の食器洗浄機において、ヒータに設けたフィンは乾燥時の送風方向に略平行に配置したことを特徴とする食器洗浄機。
【請求項３】
請求項１または請求項２記載の食器洗浄機において、前記ヒータは、シーズヒータを含む発熱線で形成し、前記ヒータを上から覆う保護カバーを設け、前記ヒータに設けたフィンはフィン固定部を除いて下面部を露出させたことを特徴とする食器洗浄機。
【請求項４】
請求項１から３記載の食器洗浄機において、噴霧はヒータ加熱を行った後に、噴射したことを特徴とする食器洗浄機。
【発明の詳細な説明】
【技術分野】
【０００１】
本発明は、噴霧やスチームで汚れをふやかして、しつこい汚れを洗い流す食器洗浄機の改良に関する。
【背景技術】
【０００２】
食器類の付着する洗い難い汚れを、水蒸気を使って洗浄する食器洗浄機は、例えば、特開２００３−２３５７７８号公報（特許文献１）に記載されている。
【０００３】
また、噴霧給水手段を備えた食器洗浄機は、例えば、特開２００１−２７５９２１号公報（特許文献２）に記載されている。
【０００４】
【特許文献１】特開２００３−２３５７７８号公報
【特許文献２】特開２００１−２７５９２１号公報
【発明の開示】
【発明が解決しようとする課題】
【０００５】
本発明は、上記の問題に鑑み、水蒸気による洗浄を専用のボイラーを設けることなく、簡単な構成により大量の水蒸気を安定して発生させることができる食器洗浄機を提供することを目的とする。
【課題を解決するための手段】
【０００６】
上記目的を達成するために本発明の食器洗浄機は、食器を収納する洗浄室と、洗浄水を前記洗浄室内に噴射する回転ノズル体と洗浄室の底側に設けられ、かつ洗浄水を加熱するヒータと、洗浄室内に霧化して噴射する噴霧手段とを有し、洗浄運転またはすすぎ運転に際して行う前記噴霧手段による噴射給水と併せてヒータの加熱を行い、ヒータは噴霧による温度低下を抑えるためフィンを付けたものである。
【発明の効果】
【０００７】
本発明によれば、水蒸気による洗浄を専用のボイラーを設けることなく、簡単な構成により水蒸気を大量に発生させることができる。
【発明を実施するための最良の形態】
【０００８】
本発明の実施例について、図を引用して説明する。
【０００９】
まず、図１，図２，図３に示される食器洗浄機の概要から順を追って説明する。
【００１０】
食器洗浄機の本体外枠１内には、洗浄室２が備わる。洗浄室２には、食器かご３が備えられる。洗浄室２の上側と下側には、回転ノズル体４が設けられる。回転ノズル体４は、洗浄水を噴射する複数の噴射口を有し、噴射洗浄水で食器かご３に並ぶ食器類を洗浄する。
【００１１】
洗浄水が貯溜する貯溜部５は、洗浄室２の底に設けられる。貯溜部５に注がれて溜まる洗浄水の貯水量は、２.８ リットル程度である。
【００１２】
本体外枠１は、前面に上蓋６と下蓋７を備える。この上蓋６と下蓋７により、洗浄室２は開け閉めされる。上蓋６は本体外枠１の前面から上面にかけて形成される円弧に沿って回動するように開閉作動する。下蓋７は、下端側を支点として開閉作動する。開かれた下蓋７は、概ね水平状態に置かれる。
【００１３】
上蓋６は、透明窓８を有する。この透明窓８から洗浄室２の内部が覗かれる。食器洗浄機の洗浄状態を目視できる。
【００１４】
貯溜部５は、洗浄室２の底部前側に設けられ、横方向に延びた樋形状をしている。この樋形をした貯溜部５には、図４，図５，図６に示すようにシーズヒータの発熱線で作られたヒータ９が這うように設けられる。ヒータ９には図５に示すようにフィン２００がネジ２０１で複数個所固定されている。フィン２００はヒータ９の取付け位置に対して上側に取付けられており、乾燥時の送風方向に対して平行に取付けられている。
【００１５】
このため、送風抵抗が少ない状態でフィン２００の表面積が大きい状態で熱交換が行われるので熱交換効率を良くすることができる。これにより、乾燥時間を短縮することができる。フィン２００はステンレスの鋼板を折り曲げて重ねた構造なのでプレス加工のみででき、取付けもネジ２０１で固定するだけなので安価に作業性もよい。
【００１６】
図１２はヒータ９にフィン２００を固定した部分拡大図を示す。フィン２００はステンレス鋼板を使用しフィン２００部を二つ折りにして、ヒータ９を挟み込むようにして上側に位置するようにし、両端部をネジ２０１で固定している。洗浄水を加熱するときはできるだけヒータ９の表面を直接露出させた方が、熱伝導効率を大きくできるので下面部は開けている。
【００１７】
図１３は下面の露出度を増加させるためフィン２００の固定ネジ２０１の位置をヒータ９の上面側にしたものの実施例を示す。いずれのフィン２００も上面部を折り曲げた構造をしているので洗浄が終わって排水されるとき徐々に水面が低下するときに上面部が円形でなだらかになっているので油脂の付着が少なくなる。
【００１８】
ヒータ９の下側には、合成樹脂で作られた貯溜部５を熱から保護する樋形をした下側の保護カバー２０が設けられる。ヒータ９の上には、ヒータ９を上から覆うように上側の保護カバー２１が設けられる。上側の保護カバー２１には、径が数mmの流通穴２２が多数設けられる。上／下の保護カバー２０，２１は、ステンレス鋼板で形成される。流通穴２２が多数あるので、図６に示すように、ヒータ９の真上に流通穴２２が存在するようになる。
【００１９】
ヒータ９の引出端子３０は、貯溜部５の左側の端側（図３の図示）に設けられる。引出端子３０の反対側になる貯溜部５の底部には、流出口２３が設けられる。流出口２３は、洗浄循環ポンプ２４，排水ポンプ２５に連通するように接続される。
【００２０】
洗浄循環ポンプ２４の吐き出し側は、洗浄水の水路２６を介して回転ノズル体４に連通される。洗浄循環ポンプ２４の運転により、洗浄水は回転ノズル体４の噴射口から噴射し、その反動で回転ノズル体４は回転するので、広い範囲に洗浄水の噴射が行われる。
【００２１】
排水ポンプ２５の吐出側は、排水口（図示せず）に連通する。排水ポンプ２５の運転により、貯溜部５に溜まった洗浄水を残らず排水することができる。
【００２２】
水位センサー２７は、貯溜部５に溜まる水位を検知する。貯溜部５に連通する連通管
２８を設け、この連通管２８の先に水位センサー２７が取付けられる。水位センサー２７で、貯溜部５の水位を検知して食器洗浄機の運転は制御される。
【００２３】
噴霧手段２９は、図３に示すように、洗浄室２の側面に備えられる。この噴霧手段２９は、洗浄室２の奥側面に備えても良い。噴霧手段２９は、横に並ぶ複数の噴射ノズル部
４０を有する。噴射ノズル部４０は、縦並びに配置しても良い。
【００２４】
噴射ノズル部４０は、図７，図８に示すように、内部に円形状の駒収納室４１を、前側に噴霧口４２を有し、駒収納室４１と噴霧口４２は連通している。駒収納室４１に収納される霧化中駒４３は、外周に螺旋溝４４を有する。噴霧口４２が洗浄室２内に向くように噴霧手段２９は設けられる。
【００２５】
噴霧手段２９は図３に示すように、噴霧給水路４５を介して水道管４６の給水電磁弁
４７に連通するように接続される。噴霧給水路４５には、減圧弁４８を設ける。
【００２６】
減圧弁４８は、図９に示すように、圧力逃口４９と、圧力逃口４９を塞ぐように設けた弁体５０と、弁体５０を圧力逃口４９に押し付けるように付勢するバネ５１と、圧力逃口４９の下流側に連通する逃口流路５２とを有する。この逃口流路５２が洗浄室２に臨むように減圧弁４８は備えられる。
【００２７】
食器洗浄機の制御回路について、図１０を引用して述べる。
【００２８】
商用電源６０は、コンセント６１，電源スイッチ６２，電源ヒューズ６３を介して各種負荷，直流電源用整流回路６４に接続される。マイコンを主体とした主制御回路６５，駆動回路６６には、直流電源用整流回路６４より直流が供給される。
【００２９】
サーミスタ６７，水位センサー２７の検知信号は、主制御回路６５に読まれて各種の制御が行われる。表示装置６９は、主制御回路６５の指示により食器洗浄機の運転に関する表示が行われる。
【００３０】
各種負荷は、全負荷スイッチ８０を介して商用電源６０に接続される。
【００３１】
シーズヒータを用いたヒータ９の回路は、直列に接続されるサーモスイッチ８１，温度ヒューズ８２，サーモスイッチ８３を有する。このヒータ９の回路は、全負荷スイッチ
８０を介して商用電源６０に接続される。
【００３２】
サーモスイッチ８１，温度ヒューズ８２，サーモスイッチ８３は、ヒータ９の近傍である下側の保護カバー２０に設けられる。ヒータ９が、３００℃を越えた過熱し過ぎのときにサーモスイッチ８１，温度ヒューズ８２，サーモスイッチ８３が作動してヒータ９の過熱防止をする。
【００３３】
サーミスタ６７は、下側の保護カバー２０に設けられ、貯留部５に溜まる洗浄水の加熱を制御する。ヒータ９で加熱される洗浄水の温度は、サーミスタ６７により検知され、その温度情報は主制御回路６５に提供される。主制御回路６５は、サーミスタ６７の検知温度が、例えば、６０℃に達したら、ヒータ９の通電を止める指示をする。
【００３４】
全負荷スイッチ８０は、駆動回路６６によりオン・オフの作動が行われる。駆動回路
６６には、直流電源用整流回路６４より直流が供給され、主制御回路６５の指示にしたがって負荷のオン・オフを行う。
【００３５】
給水電磁弁４７は、給水電磁弁スイッチ８５，全負荷スイッチ８０を介して商用電源
６０に接続される。給水電磁弁スイッチ８５は、駆動回路６６によりオン・オフの作動が行われる。
【００３６】
切換弁モータ８６は水路２６の途中に設けられ、洗浄室２の上側と下側に備わる回転ノズル体４への洗浄水の分配をしている。水路２６を示す図中では、切換弁モータ８６は省略されている。切換弁モータ８６は、切換弁モータスイッチ８７，全負荷スイッチ８０を介して商用電源６０に接続される。切換弁モータスイッチ８７は、駆動回路６６によりオン・オフの作動が行われる。
【００３７】
洗浄兼排水モータ８８は、前述した洗浄循環ポンプ２４と排水ポンプ２５を駆動する。例えば、洗浄兼排水モータ８８の正転で洗浄循環ポンプ２４がポンプとして機能し、逆転で排水ポンプ２５がポンプとして機能するようになっている。
【００３８】
洗浄兼排水モータ８８は、コンデンサーランの単相誘導電動機で、並列に設けられる正転用スイッチ８９Ａ，逆転用スイッチ８９Ｂ，全負荷スイッチ８０を介して商用電源６０に接続される。正転用スイッチ８９Ａ，逆転用スイッチ８９Ｂは、駆動回路６６によりオン・オフの作動が行われる。
【００３９】
ファンモータ用トランス１００は、一次側が全負荷スイッチ８０を介して商用電源６０に接続される。ファンモータ用トランス１００の一次側には、ファンモータ１０１が整流器１０２，ファンモータスイッチ１０３を介して接続される。ファンモータスイッチ103は、駆動回路６６によりオン・オフの作動が行われる。
【００４０】
ファンモータ１０１は、洗浄室２内に温風や冷風の循環を行う。この温風や冷風の循環により、洗浄後を食器類は、速やかに乾燥される。送風経路については具体的には図示していないが本実施例では保護カバー２０，２１の左側面部から流入してヒータ９を通過して流通穴２２から、本体外枠１の上部前方に配置された上蓋６に設けられた排気口２１０より排出される。
【００４１】
食器洗浄機の動作を図１１に沿って説明する。
【００４２】
図１１の運転動作行程は、食器洗浄機の標準的な行程を示す。
【００４３】
標準的行程は、予洗い，本洗い，すすぎ（１），すすぎ（２），加熱すすぎ，乾燥，終
了と推移する。
【００４４】
さて、電源スイッチ６２をオンし、表示装置６９より標準コースを選択してスタートス
イッチ（図示せず）をオンすることにより、運転が開始される。
【００４５】
予洗いに先立ち、洗浄兼排水モータ８８により排水ポンプ２５を運転して排水の実行が
行われる。これは、排水を行わずに食器洗浄機を止めることもあるので、排水の行程を設
けるようにした。
【００４６】
予洗いの行程に入ると、ヒータ９に先に通電して加熱する。フィン２００を付加したことによりヒータ９の熱容量が増加するので、発熱量は同じで温度を同じとすると加熱時間が増加する。
【００４７】
そのため、ヒータ９の加熱を先に行うことによりヒータ９の蓄熱量を増加させることにより噴霧時間を長くすることができるので、スチームの発生量を多くすることができる。
【００４８】
また、噴霧時は水道水を使用しているので噴霧時の噴霧量のバラツキが大きいがこれによる温度低下を少なくして安定させてスチームを発生させることができる。
【００４９】
ヒータ９の温度が所定の温度になる時間経過後、給水電磁弁４７の通電により、給水電磁弁４７が開かれて噴霧手段２９の噴霧ノズル部４０からミストシャワー（噴霧）が行われる。
【００５０】
この噴霧の給水では、ヒータ９の温度は上限値（２５０℃〜３００℃），下限値（180℃〜２６０℃）に設定されている。つまり、上限値（２５０℃〜３００℃）を上回る温度になると、ヒータ９の通電をオフし、下限値（２１０℃〜２６０℃）を下回る温度になると、ヒータ９の通電はオンするように時間制御を行っている。
【００５１】
時間短縮のため、ヒータ９は連続でオンさせて、噴霧時間はオン−オフさせて、ヒータ温度が上限値を越えないようにすることもできる。このときは、ヒータ表面の温度を間接的に制御しないと噴霧が故障したときには樹脂成形の貯留部５を熱で損傷させるので洗浄水の影響を受けない側面部にサーモスイッチ８１を設けて使用すればよい。
【００５２】
噴霧ノズル部４０の噴霧口４２から噴射される噴霧の粒子は、マイクロミストレベル程度の微粒子で、食器類や食器についている汚れに付着する。また、微粒子の噴霧は、上側の保護カバー２１の流通穴２２を通り、ヒータ９に接触して水蒸気に気化する。マイクロミストレベル程度の微粒子は、粒が微細なので水蒸気の生成がよく行われる。
【００５３】
気化した水蒸気は、流通穴２２を通り、上昇して微粒子の噴霧と混ざって食器類や食器についている汚れに付着する。この微粒子の噴霧と水蒸気の付着により、汚れは高温多湿に包まれ、自然にふやけて流れ落ちる。また落ち易くなる。
【００５４】
この噴霧による噴霧給水とヒータ９による加熱は、所定量の洗浄水が貯溜部５に溜まるまで続けられる。貯溜部に溜める洗浄水の量は、通常、２.８ リットル程度である。早くて、１分程度かかる。数分かけて、ゆっくり給水することにより、高温高湿に包まれる時間を長くすることにより、汚れ落ちを促進させる。
【００５５】
給水時間の遅延は、噴霧給水を間欠的にすることにより実現する。噴霧ノズル部４０にかける水道水の圧力を下げたり、噴霧ノズル部４０の噴霧口４２を絞ったりする仕方もあるが、間欠的な噴霧給水は、給水電磁弁４７の開閉で対応できるので容易に実現できる。
【００５６】
ヒータ９は、本来的には、貯溜部５に溜めた洗浄水を洗い運転前に６０℃程度まで加熱したり、温風乾燥に際して循環空気を温めるために存在する。このヒータ９を噴霧給水時の加熱に利用することにより、水蒸気の生成ができ、従来例のような専用の水蒸気発生機を備える必要がなく、安価になるとともに水蒸気発生機に占められて洗浄室のスペースが狭まることもない。
【００５７】
噴霧給水時には、ヒータ９の通電を断続的に行う。ヒータ９は、噴霧給水時には噴霧の気化熱しか奪われないので、直に過熱温度を越える。過熱温度を越えると、サーモスイッチ８１，温度ヒューズ８２，サーモスイッチ８３が作動して、加熱不能になる。ヒータ９の通電を断続的に行うことにより、サーモスイッチ８１，温度ヒューズ８２，サーモスイッチ８３の作動を抑えて、噴霧給水時の加熱を確実に行うことができる。
【００５８】
水位センサー２７は、貯溜部５に所定量の洗浄水が溜まると、接点２７Ａがオンする。主制御回路６５は、接点２７Ａのオン信号を読んで、給水電磁弁４７を閉じる指示をして給水電磁弁４７が閉じられる。水位センサー２７の接点２７Ａは、貯溜部５に溜まる洗浄水の量がオーバフローに達すると、オンして主制御回路６５に知らせる。
【００５９】
所定量の洗浄水が貯溜部５に溜まった後（接点２７Ａオン）は、ヒータ９の通電が連続に行われて洗浄水の加熱が促進される。貯溜部５に所定量の洗浄水が溜まると、ヒータ９は洗浄水に十分に浸かる。ヒータ９の温度上昇は抑えられて過熱することはなくなるので、連続な通電に切り替えて洗浄水の加熱を早めるようにしている。
【００６０】
洗いの運転に移行すると、洗浄兼排水モータ８８により洗浄循環ポンプ２４の運転が行われる。温められた貯溜部５内の洗浄水は、洗浄循環ポンプ２４，洗浄水の水路２６を経て回転ノズル体４から洗浄室２に広範囲に噴射され、食器かご３に並ぶ食器類を洗浄する。
【００６１】
この回転ノズル体４の噴射による洗浄に先立ち、既に噴霧給水と加熱により、汚れが流されたり、ふやけたりしているため予洗いの洗浄が効果的に行われる。
【００６２】
なお、洗剤の使用は、噴霧給水と加熱に洗いを終えた後から使用するのが望ましい。
【００６３】
回転ノズル体４の噴射による洗浄中も水位センサー２７により貯溜部５内の水位は、検知されている。洗浄循環ポンプ２４の運転で、水位センサー２７の接点２７Ａがオフになって追加給水は行われない。回転ノズル体４の噴射による洗いの途中で洗浄循環ポンプ
２４の運転を止め、水位センサー２７の接点２７Ａがオンに戻らないで、オフが継続するときは、洗浄水が漏れていると、主制御回路６５は判断し、表示装置６９はアラームの表示等をするとともに運転を止める。
【００６４】
洗浄水の温度は、回転ノズル体４の噴射による洗浄中もサーモスイッチ８１，８３により検知されている。検知温度が６０℃なったら、ヒータ９の通電を止め、６０℃を下回ると通電して洗浄水の温度が一定になるように制御している。
【００６５】
回転ノズル体４の噴射による洗いの所定時間が経過すると、洗浄循環ポンプ２４の運転を止め、排水ポンプ２５を運転して洗浄後の洗浄水を排水する。所定の排水時間が経過したら排水ポンプ２５を止める。こうして、予洗いの行程は終える。
【００６６】
予洗いの行程後に本洗い行程が行われる。
【００６７】
本洗い行程は、予洗いの行程と内容的には変わらない。本洗い行程では、洗いはもっぱら（加熱洗い）になるが、予洗いの行程では（加熱洗い）と加熱をしない常温での(洗い)が任意に選択できるところが違う。
【００６８】
本洗い行程の後にすすぎ（１），すすぎ（２）の行程が引き続き行われる。すすぎ(１)，すすぎ（２）は、同じ内容である。すすぎを二度することにより、食器がより良くすすがれる。
【００６９】
すすぎ（１），（２）は、噴霧給水と加熱をしないで噴霧給水するところ、加熱洗いをしないところが本洗い行程と違う。すすぎ（１），（２）では、洗いの前に加熱をしない噴霧給水が行われる。
【００７０】
この噴霧給水により、本洗い中、すすぎ（１）に再付着した細かな汚れが流し落される。すなわち、噴射ノズル部４０から噴射する微粒子の噴霧は極く細かで、洗浄室内に万遍なく噴霧される。このため、微粒子の噴霧が、食器類はもちろん、食器かご，洗浄室の内面に隈無く付着して、再付着した細かな汚れを流してしまう。
【００７１】
ここで、加熱を伴わない噴霧給水をしたのは、再付着した細かな汚れは、ふやかさなくても十分に流れ落ちるからである。
【００７２】
このように回転ノズル体４の噴射によるすすぎの前に予め、再付着した細かな汚れを流してしまうので、すすぎがより効果的に行われるのである。
【００７３】
すすぎ（２）の行程の後に加熱すすぎの行程に移る。
【００７４】
加熱すすぎの行程は、加熱洗いをするところがすすぎ（１），（２）と違う。加熱洗いで暖めることにより、後に続く乾燥を速めることができる。
【００７５】
加熱すすぎの行程の後に乾燥の行程を踏んで、食器洗浄機の運転は終了する。乾燥の行程では、先に温風の乾燥を行う。先の加熱すすぎで、温っているので乾燥は迅速に行われる。
【００７６】
この乾燥の行程では、ヒータ９の温度は上限値(２００℃〜２２０℃)，下限値（１８０℃〜２１０℃）に設定されている。つまり、上限値（２００℃〜２２０℃）を上回る温度になると、ヒータ９の通電をオフし、下限値（１８０℃〜２１０℃）を下回る温度になると、ヒータ９の通電はオンするように制御を行っている。
【００７７】
温風の乾燥後にヒータ９の加熱をしない送風の乾燥が行われる。送風の乾燥をして食器類が直ぐ使えるように冷やす。
【００７８】
最後にブザーの報知で終了を知ることができる。
【００７９】
以下、ヒータ９にフィン２００を設けることによる効果について説明する。
【００８０】
乾燥時の送風はヒータ９から熱を得るには表面積が小さいと熱放散効率が悪いが、ヒータ９に平行にフィン２００が設けられているので、熱放散効率が向上し、同じ時間であれば乾燥性能がよくなり、同じ乾燥率だと時間を短縮できる。また、ヒータ９にフィンを固定することにより熱変形による暴れ防止もできる。
【００８１】
また、ヒータ９にフィン２００を付加することにより熱容量が大きくなり、蓄熱効果が大となり、同じ温度なら通電時間を長くすることができるので蓄熱量を多くすることができ、噴霧量がばらついても安定してスチームを発生させることができる。
【００８２】
ヒータ９にフィン２００を付加することにより、洗浄水の加熱時及び送風による乾燥時の熱放散効率のいずれも改善された食器洗浄機を得ることができる。
【図面の簡単な説明】
【００８３】
【図１】本発明の実施例に係わるもので、食器洗浄機の外観斜視図。
【図２】本発明の実施例に係わるもので、食器洗浄機を側面から見た断面図。
【図３】本発明の実施例に係わるもので、食器洗浄機を正面から見た断面図。
【図４】本発明の実施例に係わるもので、ヒータの関連構成を示す斜視図。
【図５】本発明の実施例に係わるもので、ヒータの関連構成を示す斜視図。
【図６】本発明の実施例に係わるもので、ヒータの関連構成を上から見た平面図。
【図７】本発明の実施例に係わるもので、噴霧手段の断面図。
【図８】本発明の実施例に係わるもので、噴霧手段の霧化中駒を示す図。
【図９】本発明の実施例に係わるもので、噴霧給水路と減圧弁の断面図。
【図１０】本発明の実施例に係わるもので、制御回路を示す図。
【図１１】本発明の実施例に係わるもので、食器洗浄機の動作フローを示す図。
【図１２】本発明の実施例に係わるもので、ヒータの関連構成を示す部分拡大斜視図。
【図１３】本発明の実施例に係わるもので、ヒータの関連構成を示す部分拡大斜視図。
【符号の説明】
【００８４】
２…洗浄室、４…回転ノズル体、９…ヒータ、２９…噴霧手段。
【図１】
2007229189.tif 000003
【図２】
2007229189.tif 000004
【図３】
2007229189.tif 000005
【図４】
2007229189.tif 000006
【図５】
2007229189.tif 000007
【図６】
2007229189.tif 000008
【図７】
2007229189.tif 000009
【図８】
2007229189.tif 000010
【図９】
2007229189.tif 000011
【図１０】
2007229189.tif 000012
【図１１】
2007229189.tif 000013
【図１２】
2007229189.tif 000014
【図１３】
2007229189.tif 000015